(57)【要約】【課題】焼香時における線香を立てる際の灰を必要とせず、線香をほぼ垂直に立てることができるとともに、持ち運びが簡単で、安全性に優れた線香立ての提供を図る。【解決手段】灰受け皿内に収納可能な略円柱形状あるいは略多角柱形状の筒状体からなり、その上面に線香を略垂直に立てることが可能な少なくとも一以上の穴を設けた構成の焼香用線香立てである。穴の中心部所定の位置から開口部に向け徐々に広径とすることが好ましく、また、不燃性材料により筒状体を成型することが好ましい。【選択図】図７
2006051266.tif 000002
【特許請求の範囲】
【請求項１】
灰受け皿内に収納可能な略円柱形状あるいは略多角柱形状の筒状体からなり、その上面に線香を略垂直に立てることが可能な少なくとも一以上の穴を設けたことを特徴とする焼香用線香立て。
【請求項２】
前記筒状体に設けた穴が、穴の中心部所定の位置から上面開口に向け徐々に広径となっていることを特徴とする請求項１に記載の焼香用線香立て。
【請求項３】
前記筒状体が、不燃性材料で成型されていることを特徴とする請求項１または請求項２に記載の焼香用線香立て。
【請求項４】
前記不燃性材料が、ガラス、石、陶磁器、金属、不燃性アクリル、不燃性塩化ビニール、不燃性プラスチックのうちいずれかであることを特徴とする請求項３に記載の焼香用線香立て。
【発明の詳細な説明】
【技術分野】
【０００１】
本発明は、焼香する際の線香立てに関するものである。
【背景技術】
【０００２】
従来、棒状の線香を使用する場合に、壺状の灰受け皿に灰を敷き詰め、火をつけた一本または複数本の線香を直立状態でその灰に差し込むことにより立てていた。この場合、まず始めに線香を立てるための灰受け皿に敷き詰める灰を入手することが必要となる。また、灰の支持力は弱いため、線香を安定して直立させることが難しく、ほとんどの場合傾斜した状態で差し込まれてしまい、線香から燃焼灰が灰受け皿外へ落ちたり、場合によっては線香が燃焼中に倒れて火災を招く危険性があり、さらには、線香を差し込む人の手が先に立てられた線香の燃焼部分に触れて火傷を負う危険性もあった。そしてまた、線香をできる限り直立させた状態で安定させるためには、線香の根元を深く灰に差し込む必要があり、そのために多量の灰が必要となってしまうとともに、灰受け皿を倒した場合に多量の灰がこぼれてしまうといった問題点があった。
【０００３】
かかる問題を解決すべく、金網等で灰受け皿に蓋をするなどして、その網目に線香を差し込むことで線香を立てるようにしたものが提案されている。しかしながら、かかる構成によると、金網の下は空間であって線香の根元を支持するための基盤がないため、線香はその中間部位で網目に寄りかかった状態となり、かえって直立させることが難しく、ほとんどの場合傾斜した状態で差し込まれることとなる。したがって、線香の燃焼灰が灰受け皿外へ落ちたり、先に立てられた線香の燃焼部分に手が触れて火傷を負うといった問題は解消されず、結局線香の起立状態を維持するために灰受け皿に灰を敷き詰めることが必要となるため、灰の入手の必要性や灰受け皿転倒により灰がこぼれるといった問題を解決するには至っていない。
【特許文献１】特開２００３−５２５２５号公報
【特許文献２】特開２００１−２８６３８６号公報
【特許文献２】実開平６−８３８６８号公報
【発明の開示】
【発明が解決しようとする課題】
【０００４】
上記問題点に鑑み、本発明は、焼香時における線香を立てる際の灰を必要とせず、線香をほぼ垂直に立てることができるとともに、持ち運びが簡単で、安全性に優れた線香立てを提供することを目的とするものである。
【課題を解決するための手段】
【０００５】
前記目的を達成するため、本発明にかかる焼香用線香立ては、灰受け皿内に収納可能な略円柱形状あるいは略多角柱形状の筒状体からなり、その上面に線香を略垂直に立てることが可能な少なくとも一以上の穴を設けた構成となっている。
【０００６】
また、本発明は、前記筒状体に設けた穴が、穴の中心部所定の位置から開口部に向け徐々に広径となっている構成を採用することができる。
【０００７】
さらに、本発明は、前記筒状体が、不燃性材料で成型されている構成とすることができる。
【０００８】
またさらに、本発明は、前記不燃性材料として、ガラス、石、陶磁器、金属、不燃性アクリル、不燃性塩化ビニール、不燃性プラスチックのうちいずれかを採用することができる。
【発明の効果】
【０００９】
本発明にかかる焼香用線香立てによれば、灰を全く必要とせずに線香を立てることが可能となる。したがって、焼香の際の灰の入手の手間を省き、また、灰受け皿の転倒によって多量の灰がこぼれるといった心配もなく、後片付けや掃除が楽になるといった効果を奏する。そして、その灰が不必要であるという特性から、灰受け皿を使わずに本発明にかかる焼香用線香立てのみでの使用も可能であり、また、灰受け皿内に収納可能な大きさしかないため、あらゆる場所に簡単に持ち運びすることが可能であって、屋外での焼香等に大変便利である。
【００１０】
また、本発明にかかる焼香用線香立てによれば、線香を略垂直に立てることができるため、線香の燃焼灰が灰受け皿外に落ちたり、線香が燃焼中に倒れて火災を招く危険性及び先に立てられた線香の燃焼部分に手が触れて火傷を負う危険性があるといった問題を解消し、安全性に優れているといった効果もある。
【発明を実施するための最良の形態】
【００１１】
本発明にかかる焼香用線香立て１は、筒状体２の上面２ａに少なくとも一以上の穴３を設けることにより、棒状の線香Ｋを該穴３に差し込んだ際にその線香Ｋを略垂直に立てることができるようにしたことを最大の特徴とする。以下、本発明にかかる焼香用線香立て１の実施形態を図面に基づいて説明する。
【００１２】
図１及び図２は、本発明にかかる焼香用線香立て１の第一の実施形態を示しており、図１は斜視図、図２は図１におけるＡＡ′断面図である。該焼香用線香立て１は、略円柱形状あるいは略多角柱形状の筒状体２から構成される。該筒状体２の上面２ａには、線香Ｋを略垂直に立てることが可能な穴３が一つ設けられている。
【００１３】
筒状体２の大きさは、灰受け皿Ｓ内に収納可能な大きさとなっている。具体的には、幅が約３．５ｃｍ前後、高さが約３．５ｃｍ前後となっている。ただし、この寸法はあくまで例示であって、灰受け皿Ｓ内に収納可能であれば特に限定されるものではなく、したがって、灰受け皿Ｓの大きさによって変更することは可能である。
【００１４】
筒状体２に設けられた穴３は、線香Ｋを立てるためのものであり、その径は線香を一本あるいは二本まとめて立てる場合に必要な径の範囲とし、また、深さは線香の安定した起立状態を維持できる深さ、具体的には筒状体２の高さの約２／３程度とすることが好ましい。そして、線香Ｋの該穴３への差し込みが容易となるよう、開口部３ａの径を穴３の径よりも若干広く成型することが好ましく、その場合、図２に示すように、中心部３ｂの所定の位置Ｈから開口部３ａに向け徐々に広径となるように成型することが望ましい。
【００１５】
筒状体２の材質については特に限定するものではないが、線香の燃焼に耐え得る不燃性材料で成型されることが望ましい。かかる不燃性材料としては、ガラスや石、陶磁器、金属、不燃性アクリル、不燃性塩化ビニール、不燃性プラスチック、不燃性合成繊維などが考えられる。このとき、ガラスや石、陶磁器、金属で成型した場合には、燃焼の進んだ線香Ｋが穴３の開口部３ａ付近で筒状体２に接触した場合に、かかる燃焼部分の熱が奪われて線香Ｋが自然に消火されることとなり、安全性の向上に資するという効果を奏する。
【００１６】
図３は、本発明の第一の実施形態にかかる焼香用線香立て１の一の使用状態を示す断面図であり、一般的に使用されている灰受け皿Ｓの内部に置いて使用する場合を示している。灰の入っていない灰受け皿Ｓ内の任意の位置に本発明にかかる焼香用線香立て１が置かれることで、線香立てとして使用可能な状態となる。火を着けて燃焼を開始した棒状の線香Ｋの根元を、焼香用線香立て１に設けた穴３へ差し込む。このとき、線香Ｋの根元は穴３にしっかりと嵌合し、略垂直に立てられることとなる。
【００１７】
図４は、本発明の第一の実施形態にかかる焼香用線香立て１の他の使用状態を示す説明図であり、インテリアとして装飾的に使用する場合を示している。透明あるいは半透明の容器Ｔ内の任意の位置に本発明にかかる焼香用線香立て１が置かれることで、線香立てとして使用可能な状態となる。そして、容器Ｔと焼香用線香立て１との間に装飾用品Ｄを敷き詰めることにより、インテリアとしての装飾効果を発揮する。これは、弔事用の焼香としてではなく、アロマテラピーなどで注目されている芳香としての線香立てとして特に機能することとなる。
【００１８】
尚、上記使用状態は例示であって、他にも種々の使用状態を考え得る。特に本発明にかかる焼香用線香立て１は、灰受け皿Ｓや容器Ｔなどがなくても単体で使用することができ、例えば、お墓参りの際に本発明にかかる焼香用線香立て１を持参して、それのみを墓前に置いて焼香することも可能である。
【００１９】
図５及び図６は、本発明にかかる焼香用線香立て１の第二の実施形態を示しており、図５は斜視図、図６は図５におけるＢＢ′断面図である。該焼香用線香立て１は、第一の実施形態と同様、略円柱形状あるいは略多角柱形状の筒状体２から構成される。該筒状体２の上面２ａには、線香Ｋを略垂直に立てることが可能な穴３が複数設けられている。
【００２０】
尚、筒状体２の大きさ、穴３の径及び深さ、筒状体２の材質については、第一の実施形態と同様である。
【００２１】
筒状体２に設ける穴３の数については、特に限定はない。穴３を複数設けることにより、複数の人が焼香する場合に対応することが可能となる。そして、穴３に差し込まれた線香Ｋは略垂直に立てられることから、従来問題であった線香Ｋが傾斜状態で差し込まれることによって先に立てられた線香Ｋの燃焼部分に手が触れて火傷を負ってしまう危険性を、完全に回避することができる。
【００２２】
図７は、本発明の第二の実施形態にかかる焼香用線香立て１の一の使用状態を示す説明図であり、一般的に使用されている灰受け皿Ｓの内部に置いて使用する場合を示している。
【図面の簡単な説明】
【００２３】
【図１】本発明にかかる焼香用線香立ての第一の実施形態を示す斜視図である。
【図２】図１におけるＡＡ′断面図である。
【図３】本発明の第一の実施形態にかかる焼香用線香立ての一の使用状態を示す断面図である。
【図４】本発明の第一の実施形態にかかる焼香用線香立ての他の使用状態を示す説明図である。
【図５】本発明にかかる焼香用線香立ての第二の実施形態を示す斜視図である。
【図６】図５におけるＢＢ′断面図である。
【図７】本発明の第二の実施形態にかかる焼香用線香立ての使用状態を示す説明図である。
【符号の説明】
【００２４】
１    焼香用線香立て
２    筒状体
２ａ  上面
３    穴
３ａ  開口部
３ｂ  中心部
Ｄ    装飾用品
Ｋ    線香
Ｓ    灰受け皿
Ｔ    容器
【図１】
2006051266.tif 000003
【図２】
2006051266.tif 000004
【図３】
2006051266.tif 000005
【図４】
2006051266.tif 000006
【図５】
2006051266.tif 000007
【図６】
2006051266.tif 000008
【図７】
2006051266.tif 000009